(57)【要約】【課題】カードの先端縁が当接する係合爪の変形を抑制するカード用コネクタを提供する。【解決手段】コネクタ１０は、スロット５ｓの内部に第１接続端子５ｔを配列した第１カード５又は第１カード５より外形が小さく厚さも薄い第２カード６が挿入できる凹部１１を有するハウジング１と、ハウジング１を覆うカバー板２と、ハウジング１の奥部に配置され、スロット５ｓに挿入可能なヘッダ１２ｈに覆われた複数のコンタクト３と、挿入されたカードを排出可能なイジェクト機構４と、備える。イジェクト機構４は、Ｌ字状のスライド部材４１を有し、スライド部材４１は、カードの先端縁が当接する係合爪４１０を有する。係合爪４１０は、凹部１１の底面に向かって突出した突出部４１ｔを先端部に有し、凹部１１は、突出部４１ｔと嵌合し、突出部４１ｔをスライド自在に案内する長穴１１１を開口している。【選択図】図７
2019204624.tif 000002
【特許請求の範囲】
【請求項１】
一方の端面に開口したスロットの内部に複数の第１接続端子を配列し、所定の外形と厚さを有する略矩形の第１カードと、露出した複数の第２接続端子を配列し、第１カードに比べて、外形が小さく厚さも薄く形成した略矩形の第２カードと、を挿入可能なカード用コネクタであって、
前記第１カード又は前記第２カードが挿抜される凹部を有する板状のハウジングと、
前記ハウジングの凹部を覆うカバー板と、
前記ハウジングの奥部に配置され、前記凹部の開口に向かって突出すると共に、前記第１カードのスロットに挿入可能なヘッダに覆われた複数のコンタクトと、
前記凹部の端部に配置され、前記凹部に挿入された前記第１カードを排出可能なプッシュ・プッシュ形のイジェクト機構と、を備え、
前記イジェクト機構は、前記ハウジングの側壁に沿って移動する帯板状のスライド部材を有し、
前記スライド部材は、前記凹部の端部側から当該凹部の中央部に向かって、前記スライド部材から片持ち状に突出し、前記第１カード又は前記第２カードの先端縁に当接する係合爪を有し、
前記係合爪は、
カード当接面に形成し、前記第２カードを前記凹部に挿入すると、当該第２カードが乗り上げる傾斜面と、
先端部に形成し、前記凹部の底面に向かって突出した突出部と、を有し、
前記ハウジングの凹部は、前記突出部と嵌合し、前記突出部を前記凹部の開口側から奥部に向かってスライド自在に案内する長穴を開口し、
前記第１カードを前記凹部に挿入すると、前記係合爪が複数の前記コンタクトの下方に移動して、前記第１接続端子が前記コンタクトに接続し、
前記第２カードを前記凹部に挿入すると、当該第２カードの先端縁が前記ヘッダの先端縁に当接して、当該第２カードの進入を阻止できる、カード用コネクタ。
【請求項２】
前記係合爪は、前記凹部の開口側に向かって突出し、鉤状に屈曲した鉤部を先端部に有し、
前記鉤部は、
前記傾斜面と連続し、前記凹部の底面と交差した延長斜面部と、
前部に形成し、前記凹部の底面と当接自在な底部と、を有している、請求項１記載のカード用コネクタ。
【発明の詳細な説明】
【技術分野】
【０００１】
本発明は、カード用コネクタに関する。特に、正規のカードとは外形と厚さが異なる異種類のカードをコネクタに誤挿入した場合に、異種類のカードによる不正確な接続を阻止するカード用コネクタの構造に関する。
【背景技術】
【０００２】
カード型の記憶装置であるメモリカードは、記憶媒体としてフラッシュメモリを採用している。メモリカードは、非常に小型であり、データの読み書きに殆んど電力を消費しないという利点がある。又、メモリカードは、データの読み書きにＦＤやＭＯなどのように駆動装置を必要としないというメリットがあるため、消費電力や携帯性が重要視される、例えば、デジタルカメラの記録メディアとして普及している。
【０００３】
近年のデジタルカメラは、電子シャッターを用いた高速連写が可能となっている。このため、高速連写対応型のデジタルカメラは、通常の撮像用のＳＤ（Ｓｅｃｕｒｅ  Ｄｉｇｉｔａｌ）カードと、高速連写用の書き込み速度の速いＸＱＤ（登録商標）カードとが別々に挿入可能な二つのカード用コネクタを備えている。例えば、これらのカード用コネクタは、プリント基板を間にして、プリント基板の両面に実装されている。
【０００４】
ＳＤカードとＸＱＤカードとは、外形と厚さが異なっている。ＸＱＤカードに比べて、ＳＤカードは外形が小さく、その厚さも薄く形成されている。このような外形と厚さが異なる多種類のカードを一つのカード用コネクタに装着可能なカード用コネクタが開発されている。
【０００５】
一方、前述したように、ＸＱＤカードに比べて、ＳＤカードは外形が小さく、その厚さも薄く形成されているので、ＸＱＤカード用のカード用コネクタにＳＤカードを誤挿入することが可能になっている。この場合、ＳＤカードがカード用コネクタの奥部に配置されたコンタクトを損傷させる心配がある。正規のカードとは外形と厚さが異なる異種類のカードをコネクタに誤挿入した場合に、異種類のカードによる不正確な接続を阻止するカード用コネクタが開示されている（例えば、特許文献１参照）。
【先行技術文献】
【特許文献】
【０００６】
【特許文献１】特開２０１４−８６３２０号公報
【発明の概要】
【発明が解決しようとする課題】
【０００７】
図１１は、従来技術によるカード用コネクタの構成を示す平面図である。なお、本願の図１１は、特許文献の図６に相当している。
【０００８】
図１１を参照して、従来技術によるカード用コネクタ（以下、コネクタと略称する）９は、所定の外形と厚さを有する正規の略矩形の第１カードを挿入できる。一方、コネクタ９は、第１カードに比べて、外形が小さく厚さも薄く形成された非正規の略矩形の第２カードを挿入することもできる。
【０００９】
図１１を参照すると、コネクタ９は、板状のハウジング９１と図示しないカバー板を備えている。ハウジング９１は、第１カード又は第２カードが挿抜される凹部９１１を形成している。図示しないカバー板は、ハウジング９１の凹部９１１を覆っている。
【００１０】
図１１を参照すると、コネクタ９は、ヘッダ９２ｈに覆われた複数のコンタクト９３とプッシュ・プッシュ形のイジェクト機構９４を備えている。ヘッダ９２ｈは、ハウジング９１の奥部に配置され、凹部９１１の開口に向かって突出すると共に、第１カードに形成したスロットに挿入できる。イジェクト機構９４は、凹部９１１の一方の端部に配置され、凹部９１１に挿入された第１カード又は第２カードを排出できる。
【００１１】
図１１を参照すると、イジェクト機構９４は、帯板状のスライド部材９４１を有している。スライド部材９４１は、ハウジング９１の一方の側壁９１３に沿って移動できる。スライド部材９４１は、係合爪９４０を有している。係合爪９４０は、凹部９１１の一方の端部側から凹部９１１の中央部に向かって突出している。又、係合爪９４０は、第１カード又は第２カードの先端縁に当接できる。
【００１２】
図１１を参照すると、係合爪９４０は、第２カードを凹部９１１に挿入すると、第２カードが乗り上げる傾斜面９４ｓをカード当接面に有している。一方、第１カードを凹部９１１に挿入すると、係合爪９４０が複数のコンタクト９３の下方に移動して、第１カードに備わる第１接続端子をコンタクト９３に接続できる。
【００１３】
図１１を参照すると、スライド部材９４１は、片持ち状の板ばね９４２を備えている。板ばね９４２は、基端部がスライド部材９４１に固定されている。板ばね９４２は、スライド部材９４１と一体に移動できる。又、板ばね９４２は、第１カードの一方の側面に弾性をもって付勢すると共に、第１カードに形成した溝部に出入り可能なＶ字状に屈曲された屈曲部９４ａを有している。
【００１４】
図１１を参照して、第１カードを凹部９１１に挿入すると、板ばね９４２の屈曲部９４ａが変形された後に復帰して、屈曲部９４ａを第１カードの溝部に進入できる。第１カードが凹部９１１から排出される過程では、板ばね９４２の屈曲部９４ａが第１カードの溝部に係合して、第１カードの飛び出しを防止できる。
【００１５】
図１１を参照すると、スライド部材９４１は、ハート状のカム溝を一方の側面に形成している。又、イジェクト機構９４は、圧縮コイルばね９４３と案内棒９４４を更に有している。
【００１６】
図１１を参照すると、圧縮コイルばね９４３は、ハウジング９１に保持され、スライド部材９４１を第１カード又は第２カードが排出される方向に力を付勢している。案内棒９４４は、その一端部がハート状のカム溝に連結している。又、案内棒９４４は、その他端部がハウジング９１に回動自在に支持されている。
【００１７】
図１１を参照すると、凹部９１１の一方の端部は、第１案内溝部９１ｇ、第２案内溝部９２ｇ、及び隔壁９３ｇを含んでいる。第１案内溝部９１ｇには、圧縮コイルばね９４３に付勢されて、スライド部材９４１が凹部９１１の開口側に停止される。又、第１案内溝部９１ｇは、板ばね９４２の屈曲部９４ａの先端部が凹部９１１に僅かに突出するように、スライド部材９４１を傾斜状態で保持する。第２案内溝部９２ｇは、第１案内溝部９１ｇに連通している。又、第２案内溝部９２ｇは、板ばね９４２の屈曲部９４ａが第１カードの溝部に係合した状態で、スライド部材９４１の直線運動を確保させる。
【００１８】
図１１を参照すると、実体として、第１案内溝部９１ｇ及び第２案内溝部９２ｇと凹部９１１とは、四角柱状に延びるガイド９４ｇによって、区画されている。そして、スライド部材９４１は、その側壁がガイド９４ｇに案内されて、スライド部材９４１の直線運動が確保できる。なお、第２案内溝部９２ｇの一部の領域内では、スライド部材９４１は傾動することもできる。
【００１９】
図１１を参照すると、隔壁９３ｇは、第１案内溝部９１ｇと凹部９１１とを隔てるように、凹部９１１の奥側に向かって僅かに突出している。スライド部材９４１が凹部９１１の奥側に移動すると、スライド部材９４１の端部が隔壁９３ｇを乗り越えてスライド部材９４１の傾斜状態が矯正される。
【００２０】
図１１に示した状態から、第１カードを凹部９１１に挿入すると、第１カードの先端縁が板ばね９４２の屈曲部９４ａに当接する。第１カードの先端縁が板ばね９４２の屈曲部９４ａに当接した状態では、スライド部材９４１は、傾動した姿勢を維持している。
【００２１】
次に、第１カードの先端縁が板ばね９４２の屈曲部９４ａに当接した状態から、第１カードを凹部９１１の奥側に更に挿入すると、板ばね９４２の屈曲部９４ａが変形された後に復帰して、板ばね９４２の屈曲部９４ａが第１カードの溝部に進入している。
【００２２】
次に、圧縮コイルばね９４３に抗して、第１カードを凹部９１１の奥側に更に挿入すると、板ばね９４２の屈曲部９４ａが第１カードの溝部に係合しており、スライド部材９４１は、凹部９１１の奥側に進行している。
【００２３】
第１カードが移行する過程では、第１カードは、凹部９１１の底面と図示しないカバー板の主面板で板厚方向の動きが規制されている。したがって、第１カードは、係合爪９４０の傾斜面９４ｓを乗り上げることなく、係合爪９４０を移動できる。そして、係合爪９４０が複数のヘッダ９２ｈの下方に移動して、第１カードの第１接続端子をコンタクト９３に接続できる。
【００２４】
一方、図１１に示した状態から、第２カードを凹部９１１に挿入すると、第２カードの先端縁が係合爪９４０のカード当接面に当接する。次に、圧縮コイルばね９４３に抗して、第２カードを凹部９１１の奥側に更に挿入すると、第２カードは、係合爪９４０の傾斜面９４ｓを乗り上げることになる。
【００２５】
次に、第２カードを凹部９１１の奥側に更に挿入すると、第２カードは、係合爪９４０を乗り越えて移動する。これにより、第２カードの先端縁がヘッダ９２ｈの先端縁に当接して、第２カードの進入を阻止できる。そして、第２カードの誤挿入による操作から、コンタクト９３を保護できる。
【００２６】
このように、従来技術によるコネクタ９は、第１カード又は第２カードの先端縁に当接する係合爪９４０を有し、係合爪９４０は、第２カードを凹部９１１に挿入すると、第２カードが乗り上げる傾斜面９４ｓをカード当接面に有しているので、第２カードを凹部９１１に挿入すると、第２カードの先端縁がヘッダ９２ｈの先端縁に当接して、第２カードの進入を阻止できる。そして、コンタクト９３を保護できる。
【００２７】
しかし、図１１を参照すると、係合爪９４０は、スライド部材９４１に片持ち支持されている。第１カード又は第２カードが係合爪９４０を押圧すると、係合爪９４０には、反時計方向の曲げモーメントＭが作用する。一方、係合爪９４０は、ヘッダ９２ｈの下方に移動するので、係合爪９４０の厚さを大きくすることには限界がある。つまり、係合爪９４０の変形に抗する断面二次モーメントの値を大きくするのは限界がある。
【００２８】
このように、従来技術によるカード用コネクタは、第１カード又は第２カードの押圧に対して、係合爪が変形し易く、係合爪が大きく変形した場合には、第２カードの先端縁をヘッダの先端縁に当接することが困難になるという問題があった。
【００２９】
異種類のカードをコネクタに誤挿入した場合に、異種類のカードによる不正確な接続を確実に阻止するカード用コネクタであって、係合爪の変形を抑制するカード用コネクタが求められていた。そして、以上のことが本発明の課題といってよい。
【００３０】
本発明は、このような課題に鑑みてなされたものであり、正規のカード又は異種類のカードの先端縁が当接する係合爪の変形を抑制するカード用コネクタを提供することを目的とする。
【課題を解決するための手段】
【００３１】
本発明者らは、端面に開口したスロットの内部に第１接続端子を配列した第１カードが挿入される凹部を有するハウジングと、ハウジングを覆うカバー板と、ハウジングの奥部に配置され、第１カードのスロットに挿入可能なヘッダに覆われた複数のコンタクトと、挿入されたカードを排出可能なプッシュ・プッシュ形のイジェクト機構とで、カード用コネクタを構成し、イジェクト機構を構成するスライド部材から片持ち状に突出した係合爪を設け、凹部の底面に向かって突出した突出部を係合爪の先端部に設けると共に、ハウジングの凹部には、係合爪の移動方向に沿って、突出部を案内する長穴を開口することで、係合爪の変形を抑制できると考え、これに基づいて、以下のような新たなカード用コネクタを発明するに至った。
【００３２】
（１）本発明によるカード用コネクタは、一方の端面に開口したスロットの内部に複数の第１接続端子を配列し、所定の外形と厚さを有する略矩形の第１カードと、露出した複数の第２接続端子を配列し、第１カードに比べて、外形が小さく厚さも薄く形成した略矩形の第２カードと、を挿入可能なカード用コネクタであって、前記第１カード又は前記第２カードが挿抜される凹部を有する板状のハウジングと、前記ハウジングの凹部を覆うカバー板と、前記ハウジングの奥部に配置され、前記凹部の開口に向かって突出すると共に、前記第１カードのスロットに挿入可能なヘッダに覆われた複数のコンタクトと、前記凹部の端部に配置され、前記凹部に挿入された前記第１カードを排出可能なプッシュ・プッシュ形のイジェクト機構と、を備え、前記イジェクト機構は、前記ハウジングの側壁に沿って移動する帯板状のスライド部材を有し、前記スライド部材は、前記凹部の端部側から当該凹部の中央部に向かって、前記スライド部材から片持ち状に突出し、前記第１カード又は前記第２カードの先端縁に当接する係合爪を有し、前記係合爪は、カード当接面に形成し、前記第２カードを前記凹部に挿入すると、当該第２カードが乗り上げる傾斜面と、先端部に形成し、前記凹部の底面に向かって突出した突出部と、を有し、前記ハウジングの凹部は、前記突出部と嵌合し、前記突出部を前記凹部の開口側から奥部に向かってスライド自在に案内する長穴を開口し、前記第１カードを前記凹部に挿入すると、前記係合爪が複数の前記コンタクトの下方に移動して、前記第１接続端子が前記コンタクトに接続し、前記第２カードを前記凹部に挿入すると、当該第２カードの先端縁が前記ヘッダの先端縁に当接して、当該第２カードの進入を阻止できる。
【００３３】
（２）前記係合爪は、前記凹部の開口側に向かって突出し、鉤状に屈曲した鉤部を先端部に有し、前記鉤部は、前記傾斜面と連続し、前記凹部の底面と交差した延長斜面部と、前部に形成し、前記凹部の底面と当接自在な底部と、を有していることが好ましい。
【発明の効果】
【００３４】
本発明によるカード用コネクタは、異種類のカードをコネクタに誤挿入した場合に、異種類のカードによる不正確な接続を阻止するカード用コネクタであって、ハウジングの凹部に開口した長穴に嵌合する突出部を係合爪の先端部に設けることで、カード挿入時の係合爪の変形を抑制できる。
【図面の簡単な説明】
【００３５】
【図１】本発明の一実施形態によるカード用コネクタの構成を示す斜視図であり、図１（Ａ）は、第１カードを挿入する前の状態図、図１（Ｂ）は、第１カードを挿入した状態図である。
【図２】前記実施形態によるカード用コネクタに適合する第１カードの構成を示す図であり、図２（Ａ）は、第１カードの平面図、図２（Ｂ）は、第１カードの左側面図である。
【図３】前記実施形態によるカード用コネクタの構成を示す図であり、図１（Ａ）は、カード用コネクタの平面図、図１（Ｂ）は、カード用コネクタの正面図である。
【図４】前記実施形態によるカード用コネクタの構成を示す下面図である。
【図５】前記実施形態によるカード用コネクタの構成を示す平面図であり、カバー板を取り外した状態図である。
【図６】前記実施形態によるカード用コネクタの構成を示す斜視図であり、カバー板を取り外した状態図である。
【図７】前記実施形態によるカード用コネクタの構成を示す斜視分解組立図である。
【図８】前記実施形態によるカード用コネクタの構成を示す斜視図であり、第２カードが係合爪に形成された傾斜面を乗り上げた直後の状態図である。
【図９】前記実施形態によるカード用コネクタの縦断面図であり、図９（Ａ）は、第１カードをカード用コネクタに挿入する直前の状態図、図９（Ｂ）は、第１カードをカード用コネクタに挿入して第１カードの先端縁が係合爪に近接した状態図、図９（Ｃ）は、図９（Ｂ）の状態から第１カードを更に挿入した状態図、図９（Ｄ）は、第１カードの第１接続端子がコンタクトに接続した状態図である。
【図１０】前記実施形態によるカード用コネクタの縦断面図であり、図１０（Ａ）は、第２カードをカード用コネクタに挿入する直前の状態図、図１０（Ｂ）は、第２カードをカード用コネクタに挿入して第２カードの先端縁が係合爪に当接した状態図、図１０（Ｃ）は、第２カードが係合爪に形成された傾斜面を乗り上げた直後の状態図、図１０（Ｄ）は、第２カードが係合爪に形成された傾斜面を乗り上げた後に、第２カードの先端縁がヘッダの先端縁に当接した状態図である。
【図１１】従来技術によるカード用コネクタの構成を示す平面図である。
【発明を実施するための形態】
【００３６】
以下、図面を参照して本発明を実施するための形態を説明する。
［カード用コネクタの構成］
最初に、本発明の一実施形態によるカード用コネクタの構成を説明する。
【００３７】
（第１カード及び第２カードの構成）
図１を参照して、本発明の一実施形態によるカード用コネクタ（以下、コネクタと略称する）１０は、所定の外形と厚さを有する正規の略矩形の第１カード５を挿入できる（図２参照）。一方、コネクタ１０は、第１カード５に比べて、外形が小さく厚さも薄く形成された非正規の略矩形の第２カード６を挿入することもできる（図８参照）。
【００３８】
図２を参照して、第１カード５は、例えば、ＸＱＤ（登録商標）カードであり、一方の端面に開口したスロット５ｓの内部に複数の第１接続端子５ｔを配列している。又、第１カード５は、一方の側面５１又は他方の側面５１の途上に、方形の溝部５１ａを切り欠かいている。一方、図８を参照すると、第２カード６は、例えば、ＳＤカードであり、露出した複数の第２接続端子６ｔを一方の端部に配列している。
【００３９】
（カード用コネクタの概略構成）
次に、実施形態によるコネクタ１０の概略構成を説明する。図１又は図３及び図４を参照すると、コネクタ１０は、板状のハウジング１とカバー板２を備えている。ハウジング１は、第１カード５又は第２カード６が挿抜される凹部１１を形成している。カバー板２は、ハウジング１の凹部１１を覆っている。
【００４０】
図１又は図３から図８を参照すると、コネクタ１０は、ヘッダ１２ｈに覆われた複数のコンタクト３とプッシュ・プッシュ形のイジェクト機構４を備えている。ヘッダ１２ｈは、ハウジング１の奥部に配置され、凹部１１の開口１５ｋ（図４参照）に向かって突出すると共に、第１カード５のスロット５ｓに挿入できる（図９（Ａ）参照）。イジェクト機構４は、凹部１１の他方の端部に配置され、凹部１１に挿入された第１カード５又は第２カード６を排出できる。
【００４１】
図５から図７を参照すると、イジェクト機構４は、帯板状のスライド部材４１を有している。スライド部材４１は、ハウジング１の他方の側壁１４に沿って移動できる。スライド部材４１は、係合爪４１０を有している。係合爪４１０は、凹部１１の他方の端部側から凹部１１の中央部に向かって突出している。又、係合爪４１０は、第１カード５又は第２カード６の先端縁に当接できる（図９（Ｂ）又は図１１（Ｂ）参照）。
【００４２】
図５から図７を参照すると、係合爪４１０は、第２カード６を凹部１１に挿入すると、第２カード６が乗り上げる傾斜面４１ｓをカード当接面に有している。一方、第１カード５を凹部１１に挿入すると、係合爪４１０が複数のコンタクト３の下方に移動して、第１接続端子５ｔをコンタクト３に接続できる（図９（Ｄ）参照）。
【００４３】
（イジェクト機構の構成）
次に、実施形態によるイジェクト機構４の構成を説明する。図５から図７を参照すると、スライド部材４１は、片持ち状の板ばね４２を備えている。板ばね４２は、基端部がスライド部材４１に固定されている。板ばね４２は、スライド部材４１と一体に移動できる。又、板ばね４２は、第１カード５の他方の側面５２に弾性をもって付勢すると共に、第１カード５の溝部５１ａに出入り可能なＶ字状に屈曲された屈曲部４２ａを有している（図２参照）。
【００４４】
図１又は図５から図７を参照して、第１カード５を凹部１１に挿入すると、板ばね４２の屈曲部４２ａが変形された後に復帰して、屈曲部４２ａを第１カード５の溝部５１ａに進入できる。第１カード５が凹部１１から排出される過程では、板ばね４２の屈曲部４２ａが第１カード５の溝部５１ａに係合して、第１カード５の飛び出しを防止できる。
【００４５】
図６又は図７を参照すると、スライド部材４１は、ハート状のカム溝４１ａを一方の側面に形成している。又、イジェクト機構４は、圧縮コイルばね４３と案内棒４４を更に有している。
【００４６】
図６又は図７を参照すると、圧縮コイルばね４３は、ハウジング１に保持され、スライド部材４１を第１カード５又は第２カード６が排出される方向に力を付勢している。案内棒４４は、その一端部４４ａがハート状のカム溝４１ａに連結している。又、案内棒４４は、その他端部４４ｂがハウジング１に回動自在に支持されている。
【００４７】
図７を参照すると、凹部１１の他方の端部は、第１案内溝部１１ｇ、第２案内溝部１２ｇ、及び、隔壁１３ｇを含んでいる。第１案内溝部１１ｇには、圧縮コイルばね４３に付勢されて、スライド部材４１が凹部１１の開口側に停止される。又、第１案内溝部１１ｇは、板ばね４２の屈曲部４２ａの先端部が凹部１１に僅かに突出するように、スライド部材４１を傾斜状態で保持する（図６参照）。第２案内溝部１２ｇは、第１案内溝部１１ｇに連通している。又、第２案内溝部１２ｇは、板ばね４２の屈曲部４２ａが第１カード５の溝部５１ａに係合した状態で、スライド部材４１の直線運動を確保させる。
【００４８】
図７を参照すると、実体として、第１案内溝部１１ｇ及び第２案内溝部１２ｇと凹部１１とは、四角柱状に延びるガイド１４ｇによって、区画されている。そして、スライド部材４１は、その側壁４１ｗがガイド１４ｇに案内されて、スライド部材４１の直線運動が確保できる。なお、第２案内溝部１２ｇの一部の領域内では、スライド部材４１は傾動することもできる。
【００４９】
図５又は図６を参照すると、隔壁１３ｇは、第１案内溝部１１ｇと凹部１１とを隔てるように、凹部１１の奥側に向かって僅かに突出している。スライド部材４１が凹部１１の奥側に移動すると、スライド部材４１の端部が隔壁１３ｇを乗り越えてスライド部材４１の傾斜状態が矯正される。
【００５０】
（コンタクトの構成）
次に、実施形態によるコンタクト３の構成を説明する。図３から図５を参照すると、ハウジング１の凹部１１には、複数のコンタクト３を並設配置している。これらのコンタクト３は、コネクタ１０が実装されるプリント基板１ｐと第１カード５とを電気的に接続できる（図１（Ｂ）参照）。
【００５１】
図２又は図５を参照すると、第１カード５は、絶縁性のプラスチック筐体の内部にＩＣチップ（図示せず）が収納されている。このＩＣチップは、スロット５ｓの内部に貼り付けられた複数の金属箔に接続されている。そして、並設配置された複数の金属箔が第１カード５の第１接続端子５ｔとなっている。個別のコンタクト３は、個別の第１接続端子５ｔと一対一に接続されており、第１接続端子５ｔと機械的及び電気的に接続する。
【００５２】
図３から図５及び図９を参照すると、コンタクト３は、ばねの働きが片持ち梁であるカンチレバーコンタクトを用いている。コンタクト３は、弾性アームと固定アームで構成され、弾性アームは、ヘッダ１２ｈの底面に配置され、第１カード５に形成された第１接続端子５ｔに接触する接点を設けている。固定アームは、凹部１１を構成する対向壁１５に圧入して固定している。コンタクト３は、固定アームの端部にリード部３ｒを形成しており（図９参照）、リード部３ｒをプリント基板１ｐにはんだ接合することにより、実施形態によるコネクタ１０を表面実装用コネクタとすることができる（図１参照）。
【００５３】
（ハウジングの構成）
次に、実施形態によるハウジング１の構成を説明する。図６から図８を参照すると、ハウジング１は、絶縁性を有している。絶縁性のハウジングとは、非導電性の材料からなるハウジングのことであってよく、非導電性の合成樹脂を成形して、所望の形状のハウジング１を得ることができる。
【００５４】
図６から図８を参照すると、ハウジング１は、一方の側壁１３、他方の側壁１４、及び、対向壁１５を有している。対向壁１５は、一方の側壁１３及び他方の側壁１４と直交している。又、対向壁１５は、第１カード５の先端縁と対向している。カバー板２の一方の折り曲げ片２２ａ及び他方の側壁１４と、対向壁１５で囲われた薄直方体状の空間を「第１カード５又は第２カード６が挿抜される凹部１１」と規定できる。又、カード保持部とすることもできる。
【００５５】
図３から図６を参照すると、ハウジング１の凹部１１がカバー板２で覆われることにより、対向壁１５と対向して第１カード５又は第２カード６が挿入される長方形の開口１５ｋが形成される。対向する一方の折り曲げ片２２ａと他方の側壁１４の距離は、第１カード５の幅よりも僅かに広く、対向する一方の折り曲げ片２２ａと他方の側壁１４により第１カード５の姿勢が規制され、第１カード５の第１接続端子５ｔとコンタクト３とを正しく位置合わせできる。
【００５６】
（カバー板の構成）
次に、実施形態によるカバー板２の構成を説明する。図１又は図３及び図４を参照すると、カバー板２は、金属薄板からなり、展開された金属薄板を成形加工することにより、所望の形状のカバー板２を得ることができる。カバー板２は、導電性の金属薄板からなることが好ましく、カバー板２がハウジング１を覆うことにより、シールド（電磁遮蔽）の効果を得ることができる。
【００５７】
図１又は図３及び図４を参照すると、カバー板２は、主面板２１の両端部を略直角に折り曲げ加工している。そして、カバー板２は、一対の折り曲げ片２２・２２に複数の略矩形穴２２ｈを開口している。これらの略矩形穴２２ｈは、ハウジング１の一方の側壁１３及び他方の側壁１４に突出する複数のランス１ｒに係止できる（図５から図７参照）。
【００５８】
又、図１又は図３及び図４を参照すると、カバー板２は、プリント基板１ｐにはんだ接合される複数のリード片２ｒを設けている。これらのリード片２ｒがプリント基板１ｐにはんだ接合されることにより、プリント基板１ｐとの接合強度を補強でき、これらのリード片２ｒをプリント基板１ｐのグラウンドに接地することもできる。
【００５９】
図１又は図３を参照すると、カバー板２は、一対の板ばね片２ａ・２ａを主面板２１に有している。板ばね片２ａは、第１カード５がハウジング１の凹部１１の底面に向かう力を付勢している。板ばね片２ａは、第１カード５の表面を傷つけないように、比較的弱い力で第１カード５の表面を付勢している。
【００６０】
又、図１又は図３を参照すると、カバー板２は、板ばね片２ｂを主面板２１に有している。板ばね片２ｂは、案内棒４４がスライド部材４１に形成したカム溝４１ａの底面に向かう力を付勢している（図７参照）。
【００６１】
（スライド部材の構成）
次に、実施形態によるスライド部材４１の構成を説明する。図５から図７を参照すると、スライド部材４１は、凹部１１の他方の端部に配置されている。凹部１１の他方の端部には、スライド部材４１を移動可能に案内する第２案内溝部１２ｇを設けている。そして、スライド部材４１は、第２案内溝部１２ｇに規制されて、第１カード５の挿抜方向と平行する方向に進退できる。スライド部材４１は、第２案内溝部１２ｇの領域内では、進退する直線運動のみが許容されている。
【００６２】
図５から図７を参照すると、スライド部材４１の側壁４１ｗは、部分的には、第１カード５の姿勢（傾き）を規制する一方の側壁として機能でき、第１カード５の姿勢（傾き）を規制する他方の側壁は、第１カード５の他方の側面５２を案内する、ガイド１４ｇが代行している。
【００６３】
図７を参照すると、スライド部材４１は、圧縮コイルばね４３の一部を保持する円筒穴４ｈを端部に穿設している。一方、ハウジング１には、円筒穴４ｈに対向し、圧縮コイルばね４３の内部に入る棒状突起１ｔを形成している（図４又は図５参照）。
【００６４】
図５から図７を参照すると、圧縮コイルばね４３の両コイル端部を円筒穴４ｈと棒状突起１ｔとの間に装架することにより、スライド部材４１を第１カード５又は第２カード６が排出される方向に力を付勢することができる。第１カード５又は第２カード６が凹部１１に挿入されない状態では、スライド部材４１は、圧縮コイルばね４３に付勢されて、傾斜した状態で、凹部１１の開口１５ｋ側（第１案内溝部１１ｇ）に停止している。
【００６５】
図７を参照すると、案内棒４４の両端部は、略直角に屈折されている。図６を参照すると、案内棒４４の一端部４４ａは、スライド部材４１の側面に穿設されたハート状のカム溝４１ａに連結している。一方、案内棒４４の他端部４４ｂは、他方の側壁１４の前部に形成された穴１１ｈに挿入され、回動自在に支持されている。そして、案内棒４４の一端部４４ａは、ハート状のカム溝４１ａに従動できる。
【００６６】
図５から図７を参照すると、ハート状のカム溝４１ａを有するスライド部材４１を動節となるカムとし、案内棒４４を従動節とすれば、スライド部材４１と案内棒４４とは、カムと従動節が相対変位するカム装置を構成している。又、ハート状のカム溝４１ａは、ハート状の軌跡を描く平面曲線のみならず、ハート状のカム溝４１ａの底面が段差又は斜面となる連続軌跡を含む空間曲線となっている。スライド部材４１と案内棒４４は、いわゆる立体カム装置を構成している。
【００６７】
図６又は図７を参照すると、ハート状のカム溝４１ａは、始点４ｓからの行き行程の軌跡と始点４ｓに戻る帰り行程の軌跡とを描いている。ハート状のカム溝４１ａの軌跡は、案内棒４４の一端部４４ａが部分的に逆行することはあっても、全行程において案内棒４４の一端部４４ａが逆行しない不可逆の連続軌跡を描いている。
【００６８】
図６又は図７を参照すると、ハート状のカム溝４ａは、行き行程の軌跡と帰り行程の軌跡の分岐点に、Ｖ字状に陥没するＶ字溝を形成している。案内棒４４の一端部４４ａがＶ字溝に係止することにより、圧縮コイルばね４３に付勢されて、第１カード５の装着位置でスライド部材４１をロックできる。ハート状のカム溝４１ａと案内棒４４で構成するカム装置は、スライド部材４１の一方の停止位置を規定している。
【００６９】
図５から図７を参照すると、板ばね４２は、基端部をスライド部材４１に圧入して固定している。板ばね４２は、Ｖ字状に屈曲された屈曲部４２ａが凹部１１に向かって突出するようにスライド部材４１に配置されている。板ばね４２とスライド部材４１は、一体となって進退する。板ばね４２は、ばねの働きが片持ち梁であってよく、第１カード５が進退する方向と直交する方向に荷重が作用することによってのみ、弾性変形するように構成している。
【００７０】
（係合爪の構成）
次に、実施形態による係合爪４１０の構成を説明する。図４又は図７を参照すると、係合爪４１０は、矩形の突出部４１ｔを先端部に形成している。突出部４１ｔは、凹部１１の底面に向かって突出している。
【００７１】
一方、図５から図７を参照すると、ハウジング１は、凹部１１の開口１５ｋ側から奥部に向かって延びる長穴１１１を凹部１１に開口している。長穴１１１には、突出部４１ｔが嵌合している。長穴１１１は、凹部１１の開口１５ｋ側から奥部に向かってスライド自在に案内できる。
【００７２】
図４から図７を参照すると、コネクタ１０は、ハウジング１の凹部１１に開口した長穴１１１に嵌合する突出部４１ｔを係合爪４１０の先端部に設けているので、第１カード５又は第２カード６を凹部１１に挿入したときに、係合爪４１０の変形を抑制できる。
【００７３】
図５から図７を参照すると、係合爪４１０は、鉤状に屈曲した鉤部４１ｃを先端部に有している。鉤部４１ｃは、凹部１１の開口１５ｋ側に向かって突出している。又、鉤部４１ｃは、延長斜面部４１１と底部４１２を有している。延長斜面部４１１は、係合爪４１０の傾斜面４１ｓと連続し、かつ、凹部１１の底面と交差している。底部４１２は、鉤部４１ｃの前部に形成し、凹部１１の底面と当接できる。
【００７４】
図８を参照して、第２カード６を凹部１１に挿入すると、第２カード６の端縁が延長斜面部４１１に当接するので、第２カード６の端縁が鉤部４１ｃの延長斜面部４１１に確実に乗り上げることができる。
【００７５】
［カード用コネクタの作用］
次に、実施形態によるコネクタ１０の動作を説明しながら、コネクタ１０の作用及び効果を説明する。先に、正規のカードである第１カード５の装着順序を説明する。
【００７６】
図９（Ａ）に示した状態から、第１カード５を凹部１１に挿入すると、第１カード５の先端縁が板ばね４２の屈曲部４２ａに当接する（図５参照）。第１カード５の先端縁が板ばね４２の屈曲部４２ａに当接した状態では、スライド部材４１は、傾動した姿勢を維持している（図５参照）。又、第１カード５の先端縁が板ばね４２の屈曲部４２ａに当接した状態では、案内棒４４の一端部４４ａは、ハート状のカム溝４１ａの始点４ｓに位置している（図５又は図７参照）。
【００７７】
次に、第１カード５の先端縁が板ばね４２の屈曲部４２ａに当接した状態から、第１カード５を凹部１１の奥側に更に挿入すると、図９（Ｂ）に示された状態になる。図９（Ｂ）に示した状態では、第１カード５の先端縁が係合爪４１０及び鉤部４１ｃのカード当接面に近接している。次に、図９（Ｂ）に示した状態から、第１カード５を凹部１１の奥側に更に挿入すると、図９（Ｃ）に示した状態になる。
【００７８】
図９（Ｃ）に示した状態では、板ばね４２の屈曲部４２ａが変形された後に復帰して、板ばね４２の屈曲部４２ａが第１カード５の他方の溝部５１ａに進入している（図２参照）。又、図９（Ｃ）に示した状態では、第１カード５の先端縁が係合爪４１０及び鉤部４１ｃのカード当接面に当接している（図６参照）。
【００７９】
図９（Ｃ）に示した状態では、板ばね４２の屈曲部４２ａが第１カード５の溝部５１ａに係合しており、スライド部材４１は、凹部１１の奥側に進行できる。
【００８０】
次に、図９（Ｃ）に示した状態から、圧縮コイルばね４３に抗して、第１カード５を凹部１１の奥側に更に挿入すると、図９（Ｄ）に示した状態になる。図９（Ｃ）に示した状態から、図９（Ｄ）に示した状態に移行する過程では、案内棒４４の一端部４４ａは、ハート状のカム溝４１ａの始点４ｓから行き行程の軌跡に移動している（図５又は図７参照）。
【００８１】
図９（Ｃ）に示した状態から、図９（Ｄ）に示した状態に移行する過程では、第１カード５は、凹部１１の底面とカバー板２の主面板２１で板厚方向の動きが規制されている。したがって、第１カード５は、係合爪４１０の傾斜面４１ｓを乗り上げることなく、係合爪４１０を移動できる。
【００８２】
又、図９（Ｃ）に示した状態から、図９（Ｄ）に示した状態に移行する過程では、ハウジング１の凹部１１に開口した長穴１１１に嵌合する突出部４１ｔを係合爪４１０の先端部に設けているので（図４から図７参照）、第１カード５を凹部１１に挿入したときに、係合爪４１０の変形を抑制できる。
【００８３】
図９（Ｄ）に示された状態では、スライド部材４１は、第１案内溝部１１ｇの領域から第２案内溝部１２ｇの領域に移動しており、スライド部材４１は、直進運動のみが許容されている。又、図９（Ｄ）に示された状態では、係合爪４１０が複数のコンタクト３の下方に移動して、第１接続端子５ｔがコンタクト３に接続できる。
【００８４】
又、図７を参照して、スライド部材４１の移動に相対して、案内棒４４の一端部４４ａがハート状のカム溝４１ａの頂点に形成されたＶ字溝に係止することにより、スライド部材４１が位置固定される。この場合、板ばね４２の屈曲部４２ａが第１カード５の溝部５１ａに入り込んでいることにより、第１カード５の装着状態が維持される。このようにして、実施形態によるコネクタ１０は、第１カード５をロックできる。なお、第１カード５の排出順序は、説明を省略する。
【００８５】
次に、非正規のカードである第２カード６をコネクタ１０に挿入した場合の状態変化を説明する。
【００８６】
図１０（Ａ）に示された状態から、第２カード６を凹部１１に挿入すると、第２カード６の先端縁が係合爪４１０及び鉤部４１ｃのカード当接面に当接している（図１０（Ｂ）参照）。図１０（Ｂ）に示した状態から、圧縮コイルばね４３に抗して、第２カード６を凹部１１の奥側に更に挿入すると、図８又は図１０（Ｃ）に示すように、第２カード６は、係合爪４１０の傾斜面４１ｓ及び鉤部４１ｃの延長斜面部４１１を乗り上げることになる。
【００８７】
図１０（Ｂ）に示した状態から、図１０（Ｃ）に示した状態に移行する過程では、ハウジング１の凹部１１に開口した長穴１１１に嵌合する突出部４１ｔを係合爪４１０の先端部に設けているので（図４から図７参照）、第２カード６を凹部１１に挿入したときに、係合爪４１０の変形を抑制できる。
【００８８】
図８又は図１０（Ｃ）に示した状態から、第２カード６を凹部１１の奥側に更に挿入すると、第２カード６は、係合爪４１０及び鉤部４１ｃを乗り越えて移動する。次に、第２カード６の先端縁がヘッダ１２ｈの先端縁に当接して、第２カード６の進入を阻止できる（図８又は図１０（Ｄ）参照）。そして、第２カード６の誤挿入による操作から、コンタクト３を保護できる。
【００８９】
このように、実施形態によるコネクタ１０は、第１カード５又は第２カード６の先端縁に当接する係合爪４１０を有し、係合爪４１０は、第２カード６を凹部１１に挿入すると、第２カード６が乗り上げる傾斜面４１ｓ及び鉤部４１ｃをカード当接面に有しているので、第２カード６を凹部１１に挿入すると、第２カード６の先端縁がヘッダ１２ｈの先端縁に当接して、第２カード６の進入を阻止できる。そして、コンタクト３を保護できる。
【００９０】
本発明によるカード用コネクタは、異種類のカードをコネクタに誤挿入した場合に、異種類のカードによる不正確な接続を阻止するカード用コネクタであって、ハウジングの凹部に開口した長穴に嵌合する突出部を係合爪の先端部に設けることで、カード挿入時の係合爪の変形を抑制できる。
【００９１】
又、本発明によるカード用コネクタは、異種類のカードをコネクタに挿入すると、異種類のカードの端縁が延長斜面部に当接するので、異種類のカードの端縁が鉤部の延長斜面部に確実に乗り上げることができる。
【００９２】
本発明によるカード用コネクタは、プッシュ・プッシュ形のイジェクト機構を備えた実施形態を開示したが、本発明によるカード用コネクタは、プッシュボタン形のイジェクト機構を備えたカード用コネクタにも適用できる。
【符号の説明】
【００９３】
１  ハウジング
２  カバー板
３  コンタクト
４  イジェクト機構
５  第１カード
５ｓ  スロット
５ｔ  第１接続端子
６  第２カード
６ｔ  第２接続端子
１０  コネクタ（カード用コネクタ）
１１  凹部
１２ｈ  ヘッダ
１５ｋ  開口（凹部の開口）
４１  スライド部材
４１ｓ  傾斜面
４１ｔ  突出部
１１１  長穴
４１０  係合爪
【図１】
2019204624.tif 000003
【図２】
2019204624.tif 000004
【図３】
2019204624.tif 000005
【図４】
2019204624.tif 000006
【図５】
2019204624.tif 000007
【図６】
2019204624.tif 000008
【図７】
2019204624.tif 000009
【図８】
2019204624.tif 000010
【図９】
2019204624.tif 000011
【図１０】
2019204624.tif 000012
【図１１】
2019204624.tif 000013